(57)【要約】【課題】巻線の短絡判定への外乱の影響を小さくし、短絡が生じている真の電機子の検出精度を向上することができる回転電機の電機子検査方法を提供する。【解決手段】隣接又は対極の整流子セグメント５ａに接続された巻線コイル４の端子間から得られる検査パルスに基づいた出力波形を複数組、例えばセグメント５ａの全区間分のばらつき度合いから巻線コイル４のレアーショート等の短絡の有無が判定される。【選択図】      図１
2006343235.tif 000002
【特許請求の範囲】
【請求項１】
電機子コアに設けられる複数のティースのそれぞれに巻線コイルが巻回されてなる回転電機の電機子において、１つ又は所定数接続された前記巻線コイルの端子間を複数組用意し、各組の前記端子間に検査パルスをそれぞれ印加し、各組の前記端子間から得られる出力波形に基づいて前記巻線コイルの短絡の有無を判定する電機子検査方法であって、
前各組の前記巻線コイルの端子間から得られる出力波形のばらつき度合いから前記巻線コイルの短絡の有無を判定することを特徴とする回転電機の電機子検査方法。
【請求項２】
請求項１に記載の回転電機の電機子検査方法において、
前記電機子は、対応する前記巻線コイルの各端子が接続される整流子セグメントを有する整流子を備えるものであり、
前記検査パルスを前記整流子セグメントに印加して前記巻線コイルの短絡の有無を判定することを特徴とする回転電機の電機子検査方法。
【請求項３】
請求項１又は２に記載の回転電機の電機子検査方法において、
前各組の前記巻線コイルの端子間から得られた出力波形と該出力波形に対する良品判定のための良品マスタ波形とのズレ量と、前記ばらつき度合いとを総合して前記判定を行うことを特徴とする回転電機の電機子検査方法。
【請求項４】
電機子コアに設けられる複数のティースのそれぞれに巻線コイルが巻回されてなる回転電機の電機子において、１つ又は所定数接続された前記巻線コイルの端子間を複数組用意し、各組の前記端子間に検査パルスをそれぞれ印加し、各組の前記端子間から得られる出力波形に基づいて前記巻線コイルの短絡の有無を判定する電機子検査装置であって、
前記各組の前記巻線コイルの端子間から得られる出力波形のばらつき度合いから前記巻線コイルの短絡の有無を判定する判定手段を備えたことを特徴とする回転電機の電機子検査装置。
【発明の詳細な説明】
【技術分野】
【０００１】
本発明は、回転電機の電機子の巻線コイルにおいてレアーショート（Layer Short ）等の短絡が発生しているか否かを検査する、その検査方法及び検査装置に関するものである。
【背景技術】
【０００２】
従来、回転電機の電機子においては、電機子コアのティースに複数回巻回された巻線コイルの端子間に幅狭の検査パルスを印加し、その検査パルスに基づく出力波形を測定してレアーショート等の短絡の発生の有無を検出して、電機子（巻線コイル）の良否判定を行う所謂インパルス試験が実施されている。このインパルス試験で巻線コイルのレアーチェックを行う場合、良品判定の基準となる良品マスタ波形と、測定した出力波形とのズレ量に基づいて判定がなされている。判定方法としては、良品マスタ波形に対する出力波形のゼロクロス時間、波形位相差面積、波形面積、減衰率等が用いられる。
【０００３】
ここで、ブラシ付き回転電機の電機子は整流子、即ち各巻線コイルの端子が接続される複数の整流子セグメントを有しており、対向する一対のブラシが接触する対極の整流子セグメント間、及び隣接する整流子セグメント間でインパルス試験が実施される。このインパルス試験は整流子セグメントの全てに実施され、それぞれ１対１で良品マスタ波形と出力波形とが比較判定される。
【０００４】
因みに、電機子を有するステータと篭型ロータとを有する回転電機において、その篭型ロータの構造的欠陥（ロータバーの切れ等）を検出する試験方法が、例えば特許文献１にて開示されている。しかしながら、この試験方法では、篭型ロータを有する回転電機を対象とするのみで汎用性が低く、一般的な試験方法としては上記のようなインパルス試験が行われている。
【特許文献１】特開平７−２１８６０５号公報
【発明の開示】
【発明が解決しようとする課題】
【０００５】
ところで、インパルス試験による巻線コイルからの出力波形は、該コイルのＬ成分、Ｃ成分、及びＲ成分の全ての影響を受けるため、これらの要因としての電機子コアの鉄損や、コアとの絶縁を図る絶縁塗装の厚さ、硬化度、コイルとの対向面積といった外乱によって波形全体がシフトしてしまう場合がある。
【０００６】
これに対し、レアーショートが発生する部位によっては出力波形の変化が僅かであるため、この変化を不良判定に含めるように不良判定を厳しくすると、外乱による出力波形の変化に対しても不良の判定がなされ、レアー不良が生じてないにもかかわらず誤判定されてしまうという問題があった。
【０００７】
本発明は、上記課題を解決するためになされたものであって、その目的は、巻線の短絡判定への外乱の影響を小さくし、短絡が生じている真の電機子の検出精度を向上することができる回転電機の電機子検査方法及びその検査装置を提供することにある。
【課題を解決するための手段】
【０００８】
上記課題を解決するために、請求項１に記載の発明は、電機子コアに設けられる複数のティースのそれぞれに巻線コイルが巻回されてなる回転電機の電機子において、１つ又は所定数接続された前記巻線コイルの端子間を複数組用意し、各組の前記端子間に検査パルスをそれぞれ印加し、各組の前記端子間から得られる出力波形に基づいて前記巻線コイルの短絡の有無を判定する電機子検査方法であって、前記各組の前記巻線コイルの端子間から得られる出力波形のばらつき度合いから前記巻線コイルの短絡の有無を判定することをその要旨とする。
【０００９】
請求項２に記載の発明は、請求項１に記載の回転電機の電機子検査方法において、前記電機子は、対応する前記巻線コイルが接続される整流子セグメントを有する整流子を備えるものであり、前記検査パルスを前記整流子セグメントに印加して前記巻線コイルの短絡の有無を判定することをその要旨とする。
【００１０】
請求項３に記載の発明は、請求項１又は２に記載の回転電機の電機子検査方法において、  前各組の前記巻線コイルの端子間から得られた出力波形と該出力波形に対する良品判定のための良品マスタ波形とのズレ量と、前記ばらつき度合いとを総合して前記判定を行うことをその要旨とする。
【００１１】
請求項４に記載の発明は、電機子コアに設けられる複数のティースのそれぞれに巻線コイルが巻回されてなる回転電機の電機子において、１つ又は所定数接続された前記巻線コイルの端子間を複数組用意し、各組の前記端子間に検査パルスをそれぞれ印加し、各組の前記端子間から得られる出力波形に基づいて前記巻線コイルの短絡の有無を判定する電機子検査装置であって、前記各組の前記巻線コイルの端子間から得られる出力波形のばらつき度合いから前記巻線コイルの短絡の有無を判定する判定手段を備えたことをその要旨とする。
【００１２】
（作用）
請求項１，４に記載の発明によれば、１つ又は所定数接続された巻線コイルを複数組用意し、各組の巻線コイルの端子間から得られる検査パルスに基づいた出力波形のばらつき度合いから巻線コイルの短絡の有無が判定される。つまり、電機子に備えられるいずれかの巻線コイルにて短絡が生じると、検査パルスに基づいた巻線コイルの端子間からの出力波形が良品の電機子から得られる出力波形とずれ、しかも組毎の出力波形にばらつきが生じる。一方、外乱の影響を受けた電機子は、巻線コイルの端子間からの出力波形そのものが良品の電機子から得られる出力波形とずれるが、組毎の出力波形のばらつきは十分に小さい。従って、出力波形のばらつき度合いを考慮して巻線コイルの短絡の有無を判定することで、外乱の影響が小さくなって外乱による誤判定が少なくなり、短絡が生じている真の電機子の検出が可能となる。
【００１３】
請求項２に記載の発明によれば、対応する巻線コイルの各端子が接続される整流子セグメントを有する整流子を備えた電機子においては、その整流子セグメントに検査パルスが印加されて巻線コイルの短絡の有無が判定される。このような電機子においては整流子セグメントに検査装置の検査端子を接触させる等して検査パルスを印加すれば済むので、その検査が容易である。
【００１４】
請求項３に記載の発明によれば、各組の巻線コイルの端子間から得られた出力波形と良品マスタ波形とのズレ量と、組毎の出力波形のばらつき度合いとを総合して、巻線コイルの短絡の有無が判定される。これにより、短絡の有無判定がより確実となる。
【発明の効果】
【００１５】
従って、本発明によれば、巻線の短絡判定への外乱の影響を小さくし、短絡が生じている真の電機子の検出精度を向上することができる回転電機の電機子検査方法及びその検査装置を提供することができる。
【発明を実施するための最良の形態】
【００１６】
以下、本発明を具体化した一実施の形態を図面に従って説明する。
図１は、本実施の形態に用いられる回転電機の電機子（ロータ）１を示す。この電機子１は、ヨークハウジング（図示略）と該ヨークハウジングの内周面に固着されるマグネット（図示略）とを備えるステータに対して設けられるものであり、そのマグネットの内側に回転可能に収容される。
【００１７】
電機子１は、回転軸２と、該回転軸２に固定され放射状に複数（本実施の形態では１２個）のティース３ａを有する電機子コア３と、該コア３の各ティース３ａに複数回巻回された複数（同様に１２個）の巻線コイル４と、回転軸２に固定され複数（同様に１２個）の整流子セグメント５ａを有する整流子５と、を備えている。各巻線コイル４は、その両端が隣接する整流子セグメント５ａに接続され、図２に示すような１つの閉ループを構成するように整流子５に対して接続されている。そして、このような整流子５には、一対の給電用のブラシ（図示略）が回転軸２を挟んだ対称位置（１８０°間隔）配置され、各ブラシが対極のセグメント５ａに接触するようになっている。
【００１８】
ここで、電機子１を製造する途中でコア３のティース３ａに巻線コイル４を巻装する際に、巻線コイル４の絶縁皮膜が剥がれる等してレアーショート等の短絡が生じる場合があり、レアーショートが生じた電機子１は不良品として外部への流出を防止する必要がある。そのため、製造された電機子１は検査装置１０を用いて、レアーショートが生じているか否かが検査される。
【００１９】
検査装置１０は、１つ及び所定数の巻線コイル４の端子間に対して幅狭の検査パルスを印加し、その検査パルスに基づく出力波形を測定してレアーショートの発生の有無を検出する装置である。この場合、各巻線コイル４の端子は整流子セグメント５ａに接続されているので、検査装置１０は検査対象の巻線コイル４の端子が接続される整流子セグメント５ａにその検査端子を接触させてインパルス試験を実施する。因みに、インパルス試験は、対極（１８０°間隔）の整流子セグメント５ａ間（電機子１における半数の巻線コイル４の端子間）、及び隣接する整流子セグメント５ａ間（各巻線コイル４の端子間）のそれぞれ全区間実施する。
【００２０】
尚、本実施の形態で用いる検査パルスは、電圧が一旦マイナス側に下降し、マイナス側のピーク値を境にその後上昇してゼロを通過してプラス側に上昇し、プラス側のピーク値を境に下降に転じてゼロ付近にて安定するように変化する（図示略）。このような検査パルスは、コンデンサやスイッチング素子等を用いた簡単な回路で生成可能である。
【００２１】
先ず、対極の整流子セグメント５ａ間のインパルス試験について説明する。ここで、本実施の形態の整流子５は１２個の整流子セグメント５ａを有するので、セグメント番号を「１」〜「１２」まで付すこととする。
【００２２】
図３は、レアーショートが生じていない良品の電機子１におけるインパルス試験の出力波形を示しており、対極のセグメント番号「１−７」間、「２−８」間、「３−９」間、「４−１０」間、「５−１１」間、「６−１２」間のそれぞれの出力波形が示されている。各区間の出力波形は、共に検査パルスと同様に変化する。即ち、各区間の出力波形は、電圧が一旦マイナス側に下降してからゼロを通過してプラス側に上昇し、その後ゼロ付近にて安定する波形となる。各区間の出力波形のばらつきは極めて小さく、各区間の出力波形は略一致する。
【００２３】
これに対し、図４（ａ）は、レアーショートが生じた不良品の電機子１におけるインパルス試験の出力波形を示している。尚、同図４（ａ）で波線にて示す波形は、図３に示す良品の波形等から設定した良品マスタ波形である。
【００２４】
図４（ａ）に示すように、各出力波形のうち、「３−９」間及び「４−１０」間の出力波形が良品マスタ波形から大きくずれている。具体的には、検査開始からゼロを横切る時間、即ちゼロクロス時間が良品マスタ波形よりも「３−９」間及び「４−１０」間の出力波形の方が早くなり、プラス側ピーク値がそれら各区間の出力波形の方が低くなっている。
【００２５】
また、「２−８」間及び「５−１１」間の出力波形は、上記「３−９」間及び「４−１０」間の出力波形よりも良品マスタ波形に近づいた波形であり、上記「３−９」間及び「４−１０」間の出力波形のズレ量（ゼロクロス時間やプラス側ピーク値のズレ）に次ぐズレ量である。また、「１−７」間及び「６−１２」間の出力波形は、上記「２−８」間及び「５−１１」間の出力波形よりも更に良品マスタ波形に近づいた波形であり、上記「２−８」間及び「５−１１」間の出力波形のズレ量（ゼロクロス時間やプラス側ピーク値のズレ）に次ぐズレ量である。
【００２６】
図４（ｂ）は、良品マスタ波形に対する各区間の出力波形とのズレを示している。つまり、同図４（ｂ）にて示されるように、「３−９」間及び「４−１０」間の出力波形は良品マスタ波形に対するズレ量が大きく、次いで「２−８」間及び「５−１１」間の出力波形であり、次いで「１−７」間及び「６−１２」間の出力波形となっている。同図４（ｂ）から各区間の出力波形のばらつきが大きいことがわかる。
【００２７】
次いで、図５（ａ）は、レアーショートは生じていないが標準よりも外乱の影響を比較的大きく受けた電機子１のインパルス試験の出力波形を示している。尚、同図５（ａ）においても、波線にて良品マスタ波形を示す。
【００２８】
ここで、インパルス試験による巻線コイル４からの出力波形は、図８にて示す巻線コイル４の等価回路にて示されるように、該コイル４のＬ成分、Ｃ成分、及びＲ成分の全ての影響を受ける。これらの要因としては、電機子コア３の鉄損や、コア３との絶縁を図る絶縁塗装の厚さ、硬化度、コイル４との対向面積といった外乱である。つまり、この外乱により巻線コイル４のＬ成分、Ｃ成分、及びＲ成分が変化し、これが出力波形に影響を与えることになる。
【００２９】
図５（ａ）に示すように、外乱の影響を受けた電機子１のインパルス試験の出力波形は、各区間とも良品マスタ波形に対してずれる一方、波形変化は同様となる。従って、図５（ｂ）にて良品マスタ波形に対する各区間の出力波形とのズレを示すように、各区間の出力波形とも良品マスタ波形に対して同様にずれることから、各区間の出力波形のばらつきは極めて小さい。
【００３０】
これに着目し、不良品流出を極力防止すべく巻線レアー不良の判定を厳しくし、図５（ａ）に示すように良品マスタ波形に対する各区間の出力波形の僅かなズレでも不良品と判定するように検査装置１０のズレ量判定用の判定値を設定しても、図５（ｂ）に示すように各区間の出力波形のばらつきがそのばらつき判定用の判定値より小さい場合にはレアーショートが生じていない良品であるとの判定が可能となる。つまり、本実施の形態の検査装置１０は、良品マスタ波形に対する各区間の出力波形のズレ量の比較に加え、各区間の出力波形のばらつきを比較し、両者ともに判定値を超えると不良品である判定がなされるように構成されている。
【００３１】
これにより、検査装置１０は、各区間の出力波形のズレ量とそのばらつきの両者が対応する判定値を超える図４のような出力波形となる電機子１を、レアーショートが生じている不良品であると判定する。これに対し、図５のような出力波形となる外乱の影響を受けた電機子１は、各区間の出力波形のズレ量がそのズレ量判定用の判定値を超えるが、各区間の出力波形のばらつきがそのばらつき判定用の判定値より小さい場合、検査装置１０は、レアーショートが生じていない良品であると判定する。従って、本実施の形態の検査装置１０は、巻線レアー不良の判定を厳格に行うことができつつも、その判定への外乱の影響が小さく、外乱による誤判定が少なくなっている。そして、このような判定結果は、図示しない表示装置等に出力される。
【００３２】
因みに、上記は対極の整流子セグメント５ａ間のインパルス試験を図示して説明したが、検査装置１０は特に図示しないが隣接する整流子セグメント５ａ間のインパルス試験も行っている。この場合も、レアーショートが生じている巻線コイル４が接続された整流子セグメント５ａからの出力波形のズレが大きくなり、そのセグメント５ａから離れるほどズレが小さくなるため、セグメント５ａの各隣接区間の出力波形にばらつきが生じる。従って、対極のインパルス試験と同様、出力波形のばらつきの検出を加味することで、良品か、レアーショートが生じている不良品か、レアーショートが生じていないが外乱の影響を受けているものかが判定できる。そして、検査装置１０は、対極の整流子セグメント５ａ間、及び隣接する整流子セグメント５ａ間のインパルス試験の結果を総合して電機子１の巻線レアー不良の判定を行うようになっている。
【００３３】
尚、図７に示すように、セグメント番号「３−４」間及び「９−１０」間の巻線コイル４にてレアーショートが生じている場合、そのセグメント番号若しくはそのセグメント番号に近い程、良品マスタ波形に対する出力波形のズレ（この場合、ゼロクロス時間）は大きい。また、これらのセグメント番号から離れるほど、良品マスタ波形に対する出力波形のズレは小さくなる傾向にあって、各区間の出力波形にはばらつきが生じる。
【００３４】
またこの場合、図６に示すように対極のセグメント番号のインパルス試験においては、セグメント番号「６−１２」間や「１−７」間の出力波形のズレが大きい。また、セグメント番号「５−１１」間や「２−８」間、更にはセグメント番号「４−１０」間や「３−９」間に向かうほど、出力波形のズレが小さくなる傾向にあって、各区間の出力波形にはばらつきが生じる。このような各区間の出力波形のばらつきは巻線レア判定に用いられるとともに、ズレ量の大きさからレアーショートが生じている箇所が特定可能となっている。
【００３５】
次に、本実施の形態の特徴的な作用効果を記載する。
（１）隣接及び対極の整流子セグメント５ａに接続された巻線コイル４の端子間から得られる検査パルスに基づいた出力波形を複数組、本実施の形態ではセグメント５ａの全区間分のばらつき度合いから巻線コイル４のレアーショート等の短絡の有無が判定される。つまり、電機子１に備えられるいずれかの巻線コイル４にて短絡が生じると、検査パルスに基づいた巻線コイル４の端子間からの出力波形が良品の電機子１から得られる出力波形とずれ、しかも区間毎の出力波形にばらつきが生じる。一方、外乱の影響を受けた電機子１は、巻線コイル４の端子間からの出力波形そのものが良品の電機子１から得られる出力波形とずれるが、区間毎の出力波形のばらつきは十分に小さい。従って、出力波形のばらつき度合いを考慮して巻線コイル４の短絡の有無を判定することで、外乱の影響が小さくなって外乱による誤判定が少なくなり、レアーショートが生じている真の電機子１を検出することができる。
【００３６】
（２）対応する巻線コイル４の各端子が接続される整流子セグメント５ａを有する整流子５を備えた本実施の形態のような電機子１においては、その整流子セグメント５ａに検査パルスが印加されて巻線コイル４の短絡（レアーショート）の有無が判定される。このような電機子１においては整流子セグメント５ａに検査装置１０の検査端子を接触させる等して検査パルスを印加すれば済むので、その検査を容易に行うことができる。
【００３７】
（３）本実施の形態では、区間組の巻線コイル４の端子間から得られた出力波形と良品マスタ波形とのズレ量と、区間毎の出力波形のばらつき度合いとを総合して、巻線コイル４の短絡（レアーショート）の有無が判定される。これにより、短絡の有無判定をより確実とすることができる。
【００３８】
（４）巻線レアー不良以外で良品マスタ波形とのズレが生じる要因として外乱、即ち電機子コア３の鉄損や、コア３との絶縁を図る絶縁塗装の厚さ、硬化度、コイル４との対向面積が関係している。ここで、電気容量の一般式Ｃ＝ε×ｓ／ｄ（Ｃ：電気容量、ε：誘電率、ｓ：面積、ｄ：距離）において、絶縁塗装（例えば粉体絶縁塗装）の硬化度が低いと誘電率εが増加、巻線コイル４との対向面積が増えると面積ｓが増加、絶縁塗装の巻く圧が薄いと距離ｄが減少、電気容量Ｃが増加する。電気容量Ｃが大きくなると、検査パルスに基づいた出力波形の周期が短く、減衰率が小さくなる。また、電機子コア３の鉄損が増加すると、逆に検査パルスに基づく出力波形の周期が長く、減衰率が大きくなる。そこで、検査パルスに基づいた出力波形の周期や減衰率等を検討することで、電機子コア３の鉄損を評価することが可能であり、また絶縁塗装の状態を評価することも可能であり、手間の掛かる絶縁塗装の硬化度を短時間で測定することもできる。
【００３９】
尚、本発明の実施の形態は、以下のように変更してもよい。
○上記実施の形態では、隣接及び対極の整流子セグメント５ａ間の検査パルスに基づく出力波形を元に巻線コイル４の短絡判定を行うようにしているが、隣接及び対極のいずれか一方に基づいてその判定を行うようにしてもよい。また、隣接及び対極の整流子セグメント５ａ間の全区間の出力波形に基づいて判定を行っているが、全区間でなく、任意の複数区間の出力波形に基づいて判定を行うようにしてもよい。
【００４０】
○上記実施の形態では、整流子５（整流子セグメント５ａ）に検査装置１０の検査端子を接触させて巻線コイル４の短絡判定の検査を行うようにしているが、整流子５を有していない電機子等、巻線コイル４の所定の部位に検査端子を接触させてその判定を行うようにしてもよい。
【００４１】
○上記実施の形態では、ロータ用の電機子１に実施したが、ステータ側の電機子に実施することもできる。
○上記実施の形態のインパルス試験に加え、その他の試験（例えば、抵抗測定、サーチコイルでの回転誘導試験、外観試験等）と組み合わせて、巻線コイル４の短絡判定を行うようにしてもよい。
【００４２】
次に、上記実施の形態及び別例から把握できる技術的思想を以下に追記する。
（イ）  請求項４に記載の回転電機の電機子検査装置において、
前記電機子は、対応する前記巻線コイルの各端子が接続される整流子セグメントを有する整流子を備えるものであり、
前記判定手段は、前記検査パルスを前記整流子セグメントに印加して前記巻線コイルの短絡の有無を判定することを特徴とする回転電機の電機子検査装置。
【００４３】
このようにすれば、上記請求項２と同様の効果を得ることができる。
（ロ）  請求項４又は上記（イ）に記載の回転電機の電機子検査装置において、
前記判定手段は、前各組の前記巻線コイルの端子間から得られた出力波形と該出力波形に対する良品判定のための良品マスタ波形とのズレ量と、前記ばらつき度合いとを総合して前記判定を行うことを特徴とする回転電機の電機子検査装置。
【００４４】
このようにすれば、上記請求項３と同様の効果を得ることができる。
【図面の簡単な説明】
【００４５】
【図１】本実施の形態における電機子及び検査装置を説明するための説明図である。
【図２】巻線コイルの接続及び巻線コイルと検査装置との接続を説明するための図である。
【図３】良品の電機子から得られる出力波形を示す波形図である。
【図４】（ａ）はレアーショートが生じている電機子から得られる出力波形を示す波形図であり、（ｂ）はそのばらつき度合いを示す波形図である。
【図５】（ａ）はレアーショートは生じていないが外乱の影響を受けている電機子から得られる出力波形を示す波形図であり、（ｂ）はそのばらつき度合いを示す波形図である。
【図６】対極セグメント間からの出力波形のばらつき度合いを説明するための図である。
【図７】隣接セグメント間からの出力波形のばらつき度合いを説明するための図である。
【図８】巻線コイルの等価回路を示す図である。
【符号の説明】
【００４６】
１…電機子、３…電機子コア、３ａ…ティース、４…巻線コイル、５…整流子、５ａ…整流子セグメント、１０…判定手段としての検査装置。
【図１】
2006343235.tif 000003
【図２】
2006343235.tif 000004
【図３】
2006343235.tif 000005
【図４】
2006343235.tif 000006
【図５】
2006343235.tif 000007
【図６】
2006343235.tif 000008
【図７】
2006343235.tif 000009
【図８】
2006343235.tif 000010